(57)【要約】【課題】  開閉装置の無断操作を防止すると共に安全面にも配慮し、さらには盗電の危惧を可及的に少なくでき、また開閉装置の取り付け作業性を向上することができるようにする。【解決手段】  電力量計１０の一次側端子１０Ａに送電系統４からの引込み線３１が接続され、二次側端子１０Ｂに需要家５の需要家側配線３２が接続された給電系統に適用される給電停止・停止解除システムであって、前記電力量計１０の二次側端子１０Ｂと需要家側配線３２との間には、前記需要家５への給電停止及び停止解除の操作を可能とする開閉装置２が介入される構成を備えている。この開閉装置２は、スイッチ本体部２１と、該スイッチ本体部２１における開閉操作部を少なくとも覆うスイッチカバー２５と、該スイッチカバーが前記スイッチ本体部２１に取り付けられた状態において両者を固定し、特定工具よってのみ締結・解除が可能な固定具６とを備える。【選択図】      図１
2006038749.tif 000002
【特許請求の範囲】
【請求項１】
電力量計の一次側端子に送電系統からの引込み線が接続され、二次側端子に需要家側配線が接続された給電系統に適用される給電停止・停止解除システムであって、
電力量計の一次側端子と引込み線との間、若しくは前記電力量計の二次側端子と需要家側配線との間には、前記需要家への給電停止及び停止解除の操作を可能とする開閉装置が介入され、
前記開閉装置は、電力量計の一次側端子に接続されるリード線と引込み線との導通、若しくは電力量計の二次側端子に接続されるリード線と需要家側配線との導通を可能とするスイッチ本体部と、該スイッチ本体部における開閉操作部を少なくとも覆うスイッチカバーと、該スイッチカバーが前記スイッチ本体部に取り付けられた状態において両者を固定し、特定工具によってのみ締結・解除が可能な固定具とを備えていることを特徴とする給電停止・停止解除システム。
【請求項２】
入力端子及び出力端子を備え、これら入力端子及び出力端子に接続された導体同士の導通を可能とするスイッチ本体部と、該スイッチ本体部における開閉操作部を少なくとも覆うスイッチカバーと、該スイッチカバーが前記スイッチ本体部に取り付けられた状態において両者を固定し、特定工具によってのみ締結・解除が可能な固定具とを備える開閉装置を準備し、
電力量計の一次側端子に送電系統からの引込み線が接続され、二次側端子に需要家側配線が接続された給電系統において、前記需要家への給電を停止するに際し、前記需要家側配線と電力量計の二次側端子との間に前記開閉装置を介入すべく、需要家側配線を電力量計の二次側端子から切り離し、
前記スイッチ本体部の入力端子と電力量計の二次側端子とをリード線で接続すると共に、一方スイッチ本体部の出力端子には前記需要家側配線を接続し、
スイッチ本体部において入力端子と出力端子とを非導通状態にした上で、前記スイッチカバーをスイッチ本体部に取り付け、両者を特定工具によってのみ締結・解除が可能な固定具にて固定することで当該需要家に対する給電を停止し、
当該需要家に対する給電停止解除に際しては、前記特定工具により前記固定具を解除してスイッチカバーを取り外し、スイッチ本体部において入力端子と出力端子とを導通状態にした上で、前記スイッチカバーをスイッチ本体部に取り付け、両者を前記固定具で固定することを特徴とする給電停止・停止解除方法。
【発明の詳細な説明】
【技術分野】
【０００１】
本発明は、需要家に対する給電停止及び給電停止解除を、活線下において簡易にかつ安全に行うことができる給電停止・停止解除システム及び給電停止・停止解除方法に関するものである。
【背景技術】
【０００２】
電力事業者から一般家庭や集合住宅、小規模商店等の低圧需要家に電力供給がなされる場合、一般に電力量計を介した給電が行われる。すなわち、送電系統からの引込み線を電力量計の一次側端子に接続し、電力量計の二次側端子に需要家側配線（需要家内部の屋内配線）を接続した給電系統を用いて給電が行われるのが一般的である。このような給電系統において、一時的に需要家に対する給電が停止される場合がある。例えば需要家の電力料金支払い債務不履行による強制的な給電停止や、賃貸住宅等における賃借人転居による給電停止等が挙げられ、この場合、前記電力量計の二次側端子から需要家側配線を取り外すことで、給電停止状態とされる。かかる一時的な給電停止状態は、需要家による債務の履行や新たな賃借人の転入等により解除（電力量計二次側端子への需要家側配線の再取り付け）されることとなる。
【０００３】
ところで、上記給電停止に当たり、電力量計二次側端子からの需要家側配線の取り外し・再取り付け作業は、一般に他の需要家との関係から停電工法を取ることができず、活線下における作業が要求される。従って、一般人はこのような作業が行えず、活線下工法を行うスキルを持つ特殊作業者による作業が必須となる。しかしながら、給電停止及び給電停止解除の要請は都市部では多数回に及び、前記特殊作業者の確保に窮する場合がある他、いくら熟練の作業者とはいえ感電や短絡事故等の危険性は完全に払拭できない。
【０００４】
そこで、上記のような給電停止及び給電停止解除作業を簡易に且つ安全に行えるよう、例えば特許文献１には、電力量計の一次側端子と引込み線との間（若しくは電力量計の二次側端子と需要家側配線との間）に開閉装置を介入し、この開閉装置による開閉動作により前記給電停止及び給電停止解除を行わせる給電開閉装置が開示されている。この装置においては、前記開閉装置の開閉動作は、取り外し自在の導通プラグにより行うとされている。
【特許文献１】特開２００２−９８７１６号公報
【発明の開示】
【発明が解決しようとする課題】
【０００５】
しかしながら、特許文献１に開示された装置にあっては、次のような不具合がある。
（１）開閉装置の開閉動作を、取り外し自在の導通プラグで行わせる構成は確かに操作性が良いのであるが、その操作性の良さから、前記開閉装置を無断で操作されしまう危惧がある。すなわち、導通プラグを取り外して絶縁プラグを代替的に嵌め込み給電停止状態にしたとしても、導通プラグを偽造する等して無断で給電停止解除の状態にされてしまうという危惧がある。
（２）導通プラグの抜き差し動作により開閉動作を行わせる構成とすると、導通プラグが差し込まれる端子部が、該導通プラグを取り外した場合に表出してしまうことになる。つまり、充電部である前記端子部が表出することとなり、例えば無断操作等がなされて導通プラグが取り外された場合、危険な状態が作出されてしまうことになる。また導通プラグが装着されている状態においても、その導通プラグ装着部分に対して外部から比較的容易にアクセス可能とされていると、やはり感電等の危険性が有ると言わざるを得ない。
【０００６】
さらに、前記開閉装置を電力量計の一次側端子と引込み線との間に介入した場合には、次のような問題もある。
（３）開閉装置を取り付ける作業時において、電力量計の一次側端子から引込み線を取り外した上で開閉装置の取り付けを行うことになる。取り外された引込み線は活線状態にあることから、開閉装置の取り付け作業時の間、該引込み線の取り扱いに十分な留意が必要となる。すなわち、少なくとも取り外された引込み線を不作為に垂下させておくという作業は行えず、作業者に一定の作業負担が賦課されると共に、感電や短絡事故等の危険性に曝されてしまう。
（４）開閉装置を電力量計の一次側端子と引込み線との間に介入することから、結果的に一次側端子と引込み線との間に給電系統の接続点を作出することとなる。かかる接続点が存在する場合、ケーブルで直結されている場合に比べて、当該接続点が破壊されることで無断分岐され易くなり、電力量計を経由しない盗電を許すことになりかねない。
【０００７】
従って本発明は、給電停止及び給電停止解除作業を簡易に且つ安全に行えるようにするだけでなく、上記（１）〜（４）の問題点を解決し、開閉装置の無断操作を防止すると共に安全面にも配慮し、さらには盗電の危惧を可及的に少なくでき、また開閉装置の取り付け作業性を向上することができるような給電停止・停止解除システム及び給電停止・停止解除方法を提供することを目的とする。
【課題を解決するための手段】
【０００８】
本発明の請求項１にかかる給電停止・停止解除システムは、電力量計の一次側端子に送電系統からの引込み線が接続され、二次側端子に需要家側配線が接続された給電系統に適用される給電停止・停止解除システムであって、電力量計の一次側端子と引込み線との間、若しくは前記電力量計の二次側端子と需要家側配線との間には、前記需要家への給電停止及び停止解除の操作を可能とする開閉装置が介入され、前記開閉装置は、電力量計の一次側端子に接続されるリード線と引込み線との導通、若しくは電力量計の二次側端子に接続されるリード線と需要家側配線との導通を可能とするスイッチ本体部と、該スイッチ本体部における開閉操作部を少なくとも覆うスイッチカバーと、該スイッチカバーが前記スイッチ本体部に取り付けられた状態において両者を固定し、特定工具によってのみ締結・解除が可能な固定具とを備えていることを特徴とする。
【０００９】
また本発明の請求項２にかかる給電停止・停止解除方法は、入力端子及び出力端子を備え、これら入力端子及び出力端子に接続された導体同士の導通を可能とするスイッチ本体部と、該スイッチ本体部における開閉操作部を少なくとも覆うスイッチカバーと、該スイッチカバーが前記スイッチ本体部に取り付けられた状態において両者を固定し、特定工具によってのみ締結・解除が可能な固定具とを備える開閉装置を準備し、電力量計の一次側端子に送電系統からの引込み線が接続され、二次側端子に需要家側配線が接続された給電系統において、前記需要家への給電を停止するに際し、前記需要家側配線と電力量計の二次側端子との間に前記開閉装置を介入すべく、需要家側配線を電力量計の二次側端子から切り離し、前記スイッチ本体部の入力端子と電力量計の二次側端子とをリード線で接続すると共に、一方スイッチ本体部の出力端子には前記需要家側配線を接続し、スイッチ本体部において入力端子と出力端子とを非導通状態にした上で、前記スイッチカバーをスイッチ本体部に取り付け、両者を特定工具によってのみ締結・解除が可能な固定具にて固定することで当該需要家に対する給電を停止し、当該需要家に対する給電停止解除に際しては、前記特定工具により前記固定具を解除してスイッチカバーを取り外し、スイッチ本体部において入力端子と出力端子とを導通状態にした上で、前記スイッチカバーをスイッチ本体部に取り付け、両者を前記固定具で固定することを特徴とする。
【発明の効果】
【００１０】
請求項１にかかる給電停止・停止解除システムによれば、需要家への給電停止、給電停止解除作業を、危険な電力量計の二次側端子からの需要家側配線取り外しを伴うことなく、開閉装置の操作により実行できるという基本的な効果の他、次のような特有の効果を奏する。すなわち、前記開閉装置を、スイッチ本体部と、該スイッチ本体部における開閉操作部を少なくとも覆うスイッチカバーと、該スイッチカバーが前記スイッチ本体部に取り付けられた状態において両者を固定し、特定工具によってのみ締結・解除が可能な固定具とを具備させて構成したので、導体露出型の開閉操作部の場合においては、充電部となるスイッチ本体部の開閉操作部部分が常時スイッチカバーで覆われた状態とすることができ、安全性が確保されるようになる。しかも、スイッチカバーのスイッチ本体部への取り付けは、特定工具によってのみ締結・解除が可能な固定具により為されるよう構成したので、そのような特定工具を持たない者は、例えば開閉装置自体を破壊しない限り開閉操作を容易に行うことはできないことから、当該開閉装置の安易な無断操作を抑止することができるという効果を奏する。
【００１１】
請求項２にかかる給電停止・停止解除方法によれば、上記の効果に加えて、電力量計の二次側端子と需要家の需要家側配線との間に開閉装置を介入させる構成を前提とした給電停止・停止解除方法であるので、さらに次のような効果を奏する。すなわち、前記開閉装置の取り付けの際には電力量計の二次側端子から需要家側配線を取り外すこととなるが、この取り外された需要家側配線は給電系統からは完全に切り離されるので死線の状態となる。従って、取り外し後の需要家側配線は、その取り扱いが容易となることから、前記開閉装置の取り付け作業の負担が軽減化されると共に、感電や短絡事故等の危険性も一次側端子から引込み線を取り外す場合に比べて抑制されるようになる。
【００１２】
また、電力量計の二次側端子と需要家の需要家側配線との間に開閉装置を介入させる構成、つまり前記二次側端子と需要家側配線との間に給電系統の接続点を作出する構成であるので、当該接続点が破壊され無断分岐がなされ電力が使用されたとしても、それを電力量計でカウントできることから、悪質な盗電に対する抑止効を期待することができる。
【発明を実施するための最良の形態】
【００１３】
以下、図面に基づいて、本発明の実施形態につき説明する。
図１は、本発明にかかる給電停止・停止解除システムＳの全体構成を示す模式図であり、図２はその電気的回路構成を示す回路ブロック図である。この給電停止・停止解除システムＳは、架空電力送電線路等の送電系統４の各所に設置された変圧器４１から引込み線３１を引き出し、電力量計１０を介して一般家庭や集合住宅、小規模商店等の低圧電力の需要家５に電力供給するような電力供給系統に適用されるシステムである。
【００１４】
そして該給電停止・停止解除システムＳは、電力量計１０の一次側端子１０Ａに送電系統４からの引込み線３１が接続され、二次側端子１０Ｂに需要家５内部の屋内配線である需要家側配線３２が接続された給電系統に適用される給電停止・停止解除システムであって、前記電力量計１０の二次側端子１０Ｂと需要家側配線３２との間（電力量計１０の一次側端子１０Ａと引込み線３１との間であっても良い）には、前記需要家５への給電停止及び停止解除の操作を可能とする開閉装置２が介入される構成を備えている。
【００１５】
電力量計１０は、需要家５で使用される電力量を計測するもので、その本体部１００には、通電量に応じて当該需要家５における電力使用量を計測する計測部１０１と、この計測部１０１で計測された電力使用量を数字等で表示する表示部１０２とが具備されている。本体部１００の下側面には、前記計測部１０１と電気的に導通されていると共に、給電用電線が接続可能とされた一次側端子１０Ａ及び二次側端子１０Ｂが設けられている。なお電力量計１０は、需要家５の適宜箇所（例えば玄関先等）に、所定の取り付け板５１に固定されて配置される。
【００１６】
電力量計１０の一次側端子１０Ａには、送電系統４からの引込み線３１の端末部３１１が接続されている。また二次側端子１０Ｂには、後記で詳述する開閉装置２のリード線２Ｌが接続されている。さらに開閉装置２には、需要家側配線３２の端末部３２１が接続されている。電力量計１０の一次側端子１０Ａと二次側端子１０Ｂとは、計測部１０１を経由して導通されており、而して送電系統４（変圧器４１）から、引込み線３１、電力量計１０、開閉装置２及び需要家側配線３２を介して需要家５へ電力が供給される構成となっている。なお、本発明において用いられる開閉装置２が取り付けられる前は、需要家側配線３２の端末部３２１が電力量計１０の二次側端子１０Ｂに直結されていることになる。
【００１７】
図３（ａ）は前記開閉装置２の一例を示す分解斜視図であり、図３（ｂ）は開閉装置２の外観を示す平面図である。この開閉装置２は、図２の回路図にも示されている通り、送電系統４から需要家５への給電系統を遮断する役目を果たすものである。その基本構成としては、電力量計１０の二次側端子１０Ｂに接続されるリード線２Ｌと需要家側配線３２との導通・遮断を可能とするスイッチ本体部２１と、該スイッチ本体部２１における開閉操作部を少なくとも覆うスイッチカバー２５と、該スイッチカバーが前記スイッチ本体部２１に取り付けられた状態において両者を固定し、特定工具７によってのみ締結・解除が可能な固定具６とを備えている。この開閉装置２については、後に詳述する。
【００１８】
図４は、前記固定具６の一例を示しており、また図５は、該固定具６を締結・解除するための特定工具７の一例を示している。図４（ａ）の斜視図に示すように、固定具６はネジ頭部６１とネジ部６３とを有するネジ体からなる。そして図４（ｂ）、（ｃ）に示すように、ネジ頭部６１には楕円形状を呈する凹部６２が形成されており、この楕円凹部６２の略中央部分には突起６２１が突設されている。つまり、ネジ頭部６１には楕円凹部６２が存在するものの、前記突起６２１の存在により、単なる楕円柱体は前記楕円凹部６２に挿入できない構成とされている。
【００１９】
また特定工具７は、図５（ａ）の斜視図に示すように、作業者が把持するグリップ部７１と、その先端側に延在している軸部７２と、該軸部７２の端縁に突設されている先端係合部７３とから構成されている。この先端係合部７３は、図５（ｂ）、（ｃ）に示すように、全体が楕円柱体を呈しており、つまり前記固定具６の楕円凹部６２と密に嵌合可能な形状を呈している。そして先端係合部７３の端面には、前記固定具６の楕円凹部６２に突設されている突起６２１を受容する受容孔７３１が設けられている。
【００２０】
このような構成の固定具６及び特定工具７を用いれば、特定工具７の先端係合部７３を固定具６の楕円凹部６２に挿入し（突起６２１を受容孔７３１に受容させ）、特定工具７を正回転・逆回転させることで、当該固定具６を締結・解除することができる。一方、ネジ頭部６２の形状がこのように特殊であることから、汎用されているプラスドライバーやマイナスドライバー等の一般的な工具によっては、当該固定具６を締結・解除することができない。
【００２１】
さらに、楕円柱を呈する棒状体を無理矢理に圧入しようとしても、前記楕円凹部６２に突設されている突起６２１が障害となってその圧入が阻止されるため、やはり当該固定具６を締結・解除することができないこととなる。従って、破壊工具等を用いて開閉装置２自体が破壊されてしまう場合はさておき、このような固定具６を用いることで、通常では特殊な先端係合部７３を備えた特定工具７を用いないと締結・解除できず、而してスイッチカバー２５をスイッチ本体部２１から取り外すことができない固定構造を達成することができる。
【００２２】
なお、上記の固定具６及び特定工具７は一例であって、本発明では種々の態様の固定具６及び特定工具７を採用することができる。例えば、ネジ頭部６１に設ける凹部の形状を特殊な多角形状としたものでも良い。また、前記凹部に設ける突起６２１の形態も任意であり、複数の突起を突設しても良く、或いは突起自体を省略しても良い。この他、ＬＨネジ、ＬＲタンパートラスネジ、トルクスネジ或いはタンパートルクスネジなど、専用の特定工具のみにより回転可能なものを用いることができる。さらに、ネジ体以外に、特殊な工具によってのみ締結・解除が可能な固定ピンや楔・鍵構造体であっても良い。
【００２３】
図２に戻って、開閉装置２の構成について詳述する。この実施形態にかかる開閉装置２は、スイッチ本体部２１とスイッチカバー２５とを備え、スイッチ本体部２１の開閉操作部として、ＯＮ―ＯＦＦの開閉操作をワンタッチで行えるターンスイッチ２７が具備されている。
【００２４】
スイッチ本体部２１のケーシング２１０Ｃには、入力端子としてのリード線受容孔２３、及び出力端子としての需要家側配線受容孔２２が設けられ、それぞれリード線２Ｌの端末部、需要家側配線３２の端末部３２１が挿入される。内部構造は図示省略しているが、ケーシング２１０Ｃの内部には、リード線２Ｌ及び需要家側配線３２の端末導体がそれぞれ挿入・固定（図中の図番２１５、２１６は需要家側配線３２の導体固定ネジを示している）される２つの導体片が内設されている。そして、これら２つの導体片の間を橋絡可能とする可動導体片も内設されており、該可動導体片の動作が前記ターンスイッチ２７のＯＮ―ＯＦＦ操作に依存して動作するよう構成されている。
【００２５】
前記ターンスイッチ２７は、ケーシング２１０Ｃの高さが所定高さだけ低くされた低層部２１０ａに設けられており、ターンスイッチ２７をＯＮ側若しくはＯＦＦ側に倒した状態におけるターンスイッチ２７部分の高さが、ケーシング２１０Ｃの高層部２１０ｂと略同じ高さとされている。
【００２６】
またケーシング２１０Ｃの高層部２１０ｂの表面には、固定具６が螺合されるネジ孔２１３が設けられている。さらに、このネジ孔２１３に隣接して、位置合わせ用の突起２１４が設けられている。
【００２７】
一方、スイッチカバー２５は、前記ケーシング２１０Ｃの高層部２１０ｂを包容する内部空間を備える開口筐体からなる。そしてスイッチカバー２５の一方の面側（図面では表面側２５０Ｓ）には、該スイッチカバー２５をスイッチ本体部２１の所定位置まで被せた場合において、前記スイッチ本体部２１のネジ孔２１３に対応する位置に通し孔２５２が、また前記位置合わせ用の突起２１４に対応する箇所にスリット２５３がそれぞれ設けられている。さらに、スイッチカバー２５の他方の面側（図面では裏面側２５０Ｂ）には、該スイッチカバー２５を１８０°回転させてスイッチ本体部２１の所定位置まで被せた場合において、前記スイッチ本体部２１のネジ孔２１３に対応する位置に通し孔２５６が、また前記位置合わせ用の突起２１４に対応する箇所にスリット２５７がそれぞれ設けられている。そして図３（ｂ）に示すように、スイッチカバー２５をスイッチ本体部２１に嵌合すると、位置合わせ用の突起２１４と、スリット２５３又はスリット２５７とが係合するものであって、これにより両者の位置合わせが行えるようになっている。
【００２８】
このようにスイッチカバー２５は、スイッチ本体部２１に対して、前記表面側２５０Ｓを上面側にして嵌合可能であり、またこれを１８０°回転させて裏面側２５０Ｂを上面側にして嵌合可能とされている。これは、スイッチカバー２５の装着時においては、スイッチ本体部２１（ターンスイッチ２７）がスイッチカバー２５で覆われ隠蔽されてしまい、ターンスイッチ２７がＯＮ状態であるか、或いはＯＦＦ状態であるかが目視判定できないことから、スイッチカバー２５の前記表面側２５０Ｓ及び裏面側２５０ＢにそれぞれＯＮ−ＯＦＦ表示機能を担保させることを企図しているからである。
【００２９】
すなわち、図６（ａ）に示すように、スイッチカバー２５の表面側２５０Ｓには「◎」印の表示部２５４が設けられており、一方図６（ｂ）に示すように、スイッチカバー２５の裏面側２５０Ｂには「□」印の表示部２５８が設けられている。ここで、例えば「◎」印の表示部２５４をスイッチＯＦＦ状態（給電停止状態）を示すものとし、また「□」印の表示部２５８をスイッチＯＮ（給電停止解除状態）を示すものと定めておけば、ターンスイッチ２７が直接目視できなくとも、それがＯＮ状態にあるか、或いはＯＦＦ状態にあるかが確認できるようになる。つまり作業者がターンスイッチ２７を操作した後にスイッチカバー２５を嵌合するに際し、操作後のターンスイッチ２７の状態に応じてスイッチカバー２５の嵌合方向を選択（表面側２５０Ｓと裏面側２５０Ｂとのいずれを上面側にするかの選択）すれば、ターンスイッチ２７のＯＮ−ＯＦＦ確認が容易に行えるようになる。
【００３０】
これに加え、本実施形態では、スイッチカバー２５の誤操作防止機能も備えている。すなわち、スイッチカバー２５の内壁面には、図２、図６に示すように、奥部から開口部に向かう方向に延在する誤操作防止用の突条２５５が突設されている。この突条２５５は、図２及び図６（ａ）に示したａ−ａ線断面図である図６（ｃ）に示すように、前記表面側２５０Ｓの壁面裏に突設されており、また該突条２５５の先端面２５５Ｓが、ターンスイッチ２７がＯＮ状態にあるときにおいてその側壁面２７Ｓと当接するよう、スイッチカバー２５の中心から偏在する位置に設けられている。また突条２５５は、スイッチ本体部２１の前記低層部２１０ａと干渉しない高さとされている。
【００３１】
このような突条２５５が備えられているので、例えばスイッチＯＦＦ状態を示す「◎」印の表示部２５４を具備する表面側２５０Ｓを上面にしてスイッチカバー２５をスイッチ本体部２１へ嵌合する場合において、もしターンスイッチ２７が図３（ａ）に示すようにＯＮ状態とされているならば、突条２５５の先端面２５５Ｓがターンスイッチ２７の側壁面２７Ｓと当接し、スイッチカバー２５が完全に嵌合されない状態となる。すなわち、スイッチ本体部２１のネジ孔２１３と、スイッチカバー２５の通し孔２５２との位置が合わず、これによりターンスイッチ２７をＯＦＦ状態とすべきにも拘わらずＯＮ状態になっているという誤操作が存在することが容易に認知できるようになるものである。
【００３２】
以上のようにしてスイッチカバー２５をスイッチ本体部２１に嵌合し、続いてスイッチカバー２５とスイッチ本体部２１とを固定する場合においては、両者を所定状態にまで嵌め合わせた後、固定具６を前記通し孔２５２及びネジ孔２１３に対して、特定工具７を用いて締結することで両者が固定される。また給電停止・給電停止解除のためターンスイッチ２７を操作する必要が生じたときは、前記固定具６を特定工具で解除し（取り外し）、スイッチカバー２５を取り外してターンスイッチ２７を操作し、しかる後スイッチカバー２５を再び取り付けることとなる。なお、このようなスイッチカバー２５の取り付け・取り外しの作業の際にスイッチカバー２５が落下しないよう、この実施形態では連結紐２８を用い、それぞれスイッチ本体部２１とスイッチカバー２５とに設けた連結部２８１、２８２同士を結合するようにしている。
【００３３】
なお本実施形態では、スイッチカバー２５の表面側２５０Ｓには「◎」印の表示部２５４を、また裏面側２５０Ｂには「□」印の表示部２５８を設けた例を示したが、前記表示部２５４、２５８の識別記号は任意に定めてよく、「ＯＮ」と「ＯＦＦ」、「開」と「閉」などと直接的な文字を表示しても良い。また、表面側２５０Ｓと裏面側２５０Ｂとを異なる色で着色しておき、色で識別する方式としても良い。
【００３４】
図７は、変形実施形態にかかる開閉装置２ａを示す斜視図である。この開閉装置２ａも、その基本構成として、電力量計１０の二次側端子１０Ｂに接続されるリード線２Ｌと需要家側配線３２との導通・遮断を可能とするスイッチ本体部２１と、該スイッチ本体部２１における開閉操作部を少なくとも覆うスイッチカバー２５と、該スイッチカバーが前記スイッチ本体部２１に取り付けられた状態において両者を固定し、特定工具よってのみ締結・解除が可能な固定具６とを備えている点において、先の実施形態と同様である。
【００３５】
図８は、図７に示した開閉装置２ａの具体的構成を示す図であって、図８（ａ）はスイッチカバー２５の方向から見た平面図、（ｂ）はそのＸ方向矢視図、（ｃ）はＹ方向矢視図、（ｄ）はスイッチカバー２５単体の側面図である。これらの図に示すように、スイッチ本体部２１はケーシング２１Ｃと、このケーシング２１Ｃの内部に収納される角柱状の第１導体片２２１及び第２の導体片２３１と、ケーシング２１Ｃの開口側に配置される固定片２１０とを備えている。
【００３６】
ケーシング２１Ｃには入力端子及び出力端子としての２つの電線挿入孔が設けられており、一つは需要家側配線３２の端末部３２１が挿入される需要家側配線受容孔２２（出力端子）であり、もう一つは電力量計１０のニ次側端子１０Ｂと開閉装置２との間を接続するリード線２Ｌの端末部が挿入されるリード線受容孔２３（入力端子）である。また、前記角柱状の第１導体片２２１及び第２導体片２３１は、それぞれ需要家側配線３２の端末部３２１及びリード線２Ｌの端末部が挿入される導体挿入孔２２３、２３３を備えている。
【００３７】
前記ケーシング２１Ｃの需要家側配線受容孔２２には、第１導体片２２１が対向配置されており、自身が備える前記導体挿入孔２２３と需要家側配線受容孔２２とが連通状態とされている。また、ケーシング２１Ｃのリード線受容孔２３には、第２導体片２３１が対向配置されており、自身が備える前記導体挿入孔２３３とリード線受容孔２３とが連通状態とされている。第１導体片２２１と第２導体片２３１との間には、一定のギャッブが設けられており、両者はこのギャップの存在により絶縁状態とされている。なお、簡略化のため図示省略しているが、第１導体片２２１にはコイルバネ等の付勢手段が付設されており、前記ギャップの方向（第２の導体片２３１へ近付く方向）に付勢された状態とされている。なお、後述するが、このギャップ部分に導体片を圧入することで第１導体片２２１及び第２導体片２３１は導通状態とされ、従ってこのギャッブ部分が開閉操作部となる。
【００３８】
固定片２１０は、矩形のケーシング２１Ｃよりもやや小さい矩形状を呈し、ケーシング２１Ｃの開口上面側から過半部が突出するよう、ケーシング２１Ｃに固定されている。これによりスイッチ本体部２１は、ケーシング２１Ｃからやや小サイズの固定片２１０が段    状に突出した形態を呈している（図９参照）。また固定片２１０には、前述の第１導体片２２１と第２導体片２３１のギャップに連通する開口２４が設けられている。すなわち、該開口２４を通して、開閉操作部としての前記ギャップ部分がケーシング２１Ｃの外部に露呈している。
【００３９】
さらに固定片２１０は、導体固定ネジ２２２を若干の遊び（第１導体片２２１が付勢手段により前記ギャップ方向へ僅かに移動する分の遊び）をもって保持している。この導体固定ネジ２２２は、第１導体片２２１に設けられている導体挿入孔２２３に向けて、その径方向に突出自在とされている。つまり、導体固定ネジ２２２を反転方向に回転させると前記導体挿入孔２２３から退避し、正転方向に回転させると導体挿入孔２２３の内部へ突出することとなる。従って、需要家側配線３２の端末部３２１を取り付ける場合は、前記導体固定ネジ２２２を反転方向に回転させ、前記端末部３２１を導体挿入孔２２３へ挿入した後、導体固定ネジ２２２を正転方向に回転させることで、端末部３２１が締め付け固定されるものである。
【００４０】
一方、第２導体片２３１はケーシング２１Ｃに固定されており、その導体挿入孔２３３にはリード線２Ｌの端末部が挿入されている。該リード線２Ｌの端末部には端子金具２３４が取り付けられており（図８（ｃ）参照）、この端子金具２３４が第２導体片２３１の導体挿入孔２３３の内部に固定ネジ２３５で取り付けられている。つまり、リード線２Ｌはスイッチ本体部２１から特段取り外す必要はないので、常設的にスイッチ本体部２１（第２導体片２３１）に固定されている。なお、固定ネジ２３５による固定方式に代えて、リード線２Ｌを圧着接続又はハンダ接続するようにしても良い。
【００４１】
スイッチカバー２５は、図８（ｄ）に示すように、ケーシング２１Ｃとほぼ同寸法の矩形状を呈するカバー本体部２５０と、このカバー本体部２５０の略中央部に植設され、カバー本体部２５０の面方向と直交する方向に突出している板状の金属からなる導体片２６と、カバー本体部２５０における前記導体片２６の突出側に設けられた箱状の窪みからなる嵌合部２５１とを備えている。
【００４２】
前記スイッチカバー２５は、図８（ｂ）及び（ｃ）で示されているように、スイッチ本体部２１に取り付けられるのであるが、この際、前記導体片２６はスイッチ本体部２１の開口２４と、嵌合部２５１はスイッチ本体部２１の段状突出部である固定片２１０と嵌合することとなる。
【００４３】
これにより、導体片２６は第１導体片２２１と第２導体片２３１との間のギャップ部分に圧入されることになり、従って第１導体片２２１及び第２導体片２３１は、導体片２６を介して導通状態とされる。すなわち、導体片２６の厚さサイズは、図示省略の付勢手段により付勢状態とされた第１導体片２２１と、第２導体片２３１との間のギャップ寸法よりやや長いサイズとされており、そのようなギャップ部分に導体片２６が挿入されることで第１導体片２２１と第２導体片２３１との間隔が押し広げられる。この状態でも第１導体片２２１は付勢されていることから、導体片２６は、第１導体片２２１と第２導体片２３１との間のギャップに圧入状態で介在されるものである。
【００４４】
このように前記ギャッブ部分が開閉操作部となるのであるが、かかる開閉操作部は実質的にカバー本体部２５０により覆われることになる。すなわち、スイッチカバー２５の嵌合部２５１の内周壁寸法と、スイッチ本体部２１の固定片２１０の外形寸法は略一致するサイズとされており、両者の嵌め合いにより前記開閉操作部は完全に覆われるようになる。
【００４５】
このような構成に加え、スイッチカバー２５の側壁部分（嵌合部２５１を区画する側壁部分）には、固定具６が挿通される貫通孔２５２が設けられている。一方、スイッチ本体部２１の側壁部分の対応箇所にも、固定具６のネジ部６３が螺合されるネジ孔２１１が設けられている。
【００４６】
以上の構成により、スイッチ本体部２１にスイッチカバー２５を嵌合させる（開口２４に導体片２６を挿入する）ことによって、開閉装置２ａの入力端子及び出力端子であるところの第１導体片２２１と第２導体片２３１とが短絡状態となり、また固定具６を特定工具７により締結することで、スイッチ本体部２１とスイッチカバー２５とが通常の工具等を用いては取り外せない状態とされる。つまり、本開閉装置２ａの入力端子及び出力端子が導通された状態を容易に解除できない状態とされるものである。
【００４７】
図９は、このような開閉装置２ａの実際の運用形態を説明するための斜視図であり、開閉装置２ａのスイッチ本体部２１をＯＦＦ状態（給電停止状態）から、ＯＮ状態（給電停止解除状態）に移行させる場合の流れを示している。図９（ａ）は、給電停止状態を示しており、この場合スイッチ本体部２１に対しては前述したスイッチカバー２５ではなく、導体片２６を備えていない（その他の構成は全く同じ）ダミースイッチカバー２５Ｄが取り付けられる。このダミースイッチカバー２５Ｄも、その側壁部に貫通孔２５１Ｄを備えており、該貫通孔２５１Ｄに固定具６が挿通され、特定工具７で締結・固定されている。しかし、前記ダミースイッチカバー２５Ｄは導体片を備えていないことから、該ダミースイッチカバー２５Ｄがスイッチ本体部２１に取り付けられても第１導体片２２１と第２導体片２３１とは短絡状態とはならず、リード線２Ｌから需要家側配線３２への給電経路はこの開閉装置２の部分で遮断されている。
【００４８】
このような給電停止状態から、給電停止解除状態へ移行させるには、図９の（ｂ）〜（ｅ）の操作がなされる。すなわち、先ず図９（ｂ）に示すように固定具６を特定工具７で解除し（取り外し）、ダミースイッチカバー２５Ｄをスイッチ本体部２１から取り外す。これによりスイッチ本体部２１の固定片２１０が露出すると共に、開口２４も露出する。これに伴い、前記開口２４を通して、開閉操作部としての第１導体片２２１と第２導体片２３１との間のギャップ部分も露呈することとなる。
【００４９】
続いて図９（ｃ）に示すように、導体片２６を備えるスイッチカバー２５を準備し、これを図９（ｄ）に示すようにスイッチ本体部２１へ被せる。この際、スイッチカバー２５の導体片２６は、前記開口２４へ挿入される。
【００５０】
そして図９（ｅ）に示すように、スイッチカバー２５のスイッチ本体部２１への装着が完了すると、スイッチカバー２５の側壁部に設けられている貫通孔２１１に固定具６が挿通され、特定工具７で締結・固定される。この状態では、スイッチカバー２５が備えている導体片２６により第１導体片２２１と第２導体片２３１とは短絡状態となり、リード線２Ｌから需要家側配線３２への給電経路はこの開閉装置２の部分で遮断されることなく、導通状態となる。つまり、給電停止解除状態とされるものである。
【００５１】
以上、本発明にかかる開閉装置に関し、２つの実施形態を示したが、本発明で用いられる開閉装置２としては、リード線２Ｌと需要家側配線３２とを何らかの開閉操作により導通状態・非導通状態のいずれかの状態と為し得るスイッチ本体部２１と、該スイッチ本体部２１における前記開閉操作部を少なくとも覆い隠して、当該開閉操作部を操作できないようにするスイッチカバー２５とを具備していれば良く、その態様に限定はない。
【００５２】
以上説明したような開閉装置２（２ａ）を用いた、本発明にかかる給電停止・停止解除方法について、図１０のフローチャートに基づいて説明する。なお、このフローチャートは、送電系統４から需要家５に電力を営業供給している電力事業者の立場における作業フローチャートである。
【００５３】
先ず、当該需要家５において給電停止理由が発生したかが確認される（ステップＳ１）。この給電停止理由とは、前述の通り需要家５の電力料金支払い債務不履行による強制的な給電停止や、賃貸住宅等における賃借人転居による給電停止等である。特段給電停止理由が存在しない場合（ステップＳ１でＮｏ）は、このような確認動作が定期的に繰り返される。一方、電力料金不払い等が所定月数だけ続く等して給電停止理由が発生したら（ステップＳ１でＹｅｓ）、諸般の事情が考慮された上で給電停止の決定がなされる（ステップＳ２）。
【００５４】
給電停止の決定がなされたならば、作業者により開閉装置２の取り付け作業が行われる（ステップＳ３）。この作業は活線作業となるため、専門のスキルを持つ特殊作業者により取り行われる。ここで開閉装置２の取り付け位置は、電力量計１０の一次側端子１０Ａと引込み線３１との間であっても、二次側端子１０Ｂと需要家側配線３２との間のいずれであっても良い。
【００５５】
しかしながら、図２に示すように二次側端子１０Ｂと需要家側配線３２との間に開閉装置２を介入するようにすれば、開閉装置２の取り付けに際し電力量計１０の二次側端子１０Ｂから需要家側配線３２を取り外すこととなるが、この取り外された需要家側配線３２は給電系統からは完全に切り離されるので死線の状態となる。従って、取り外し後の需要家側配線３２は、その取り扱いが容易となることから、開閉装置２の取り付け作業の負担が軽減化されると共に、感電や短絡事故等の危険性も、一次側端子１０Ａから活線状態の引込み線３１を取り外す場合に比べて抑制されるようになるという利点があるので好ましい。また、電力量計１０の一次側端子１０Ａと引き込み線３１との間に給電系統の接続点を作出しないという点においても、悪質な盗電に対する抑止効が期待できることから好ましい。
【００５６】
開閉装置２の具体的な取り付け作業は、例えば図８に基づいて前述した通りの手法で行うことができる。すなわち、需要家側配線３２を電力量計１０の二次側端子１０Ｂから切り離し、開閉装置２のスイッチ本体部２１の入力端子であるリード線受容孔２３と前記二次側端子１０Ｂとがリード線２Ｌで接続される。また、スイッチ本体部２１の出力端子である需要家側配線受容孔２２に需要家側配線３２の端末部３２１が接続される。
【００５７】
このようにして開閉装置２の取り付けが完了したら、スイッチ本体部２１の開閉操作部を操作して、スイッチＯＦＦの状態とすることで、給電停止状態とされる（ステップＳ４）。このときの操作は、図３に示す開閉装置２の場合はターンスイッチ２７のＯＦＦターンであり、図８、図９に示す開閉装置２ａの場合はダミースイッチカバー２５Ｄの取り付けである。その後、特定工具７によってのみ締結・解除が可能な固定具６（特殊ネジ）を用いて、スイッチカバー２５がスイッチ本体部２１に固定される（ステップＳ５）。この固定具６による固定により、スイッチカバー２５は容易に取り外せなくなることから、無断操作等による給電停止状態の解除は安易に行えない状態となる。
【００５８】
この状態で、給電停止理由は解除されたかが確認される（ステップＳ６）。ここでの解除理由とは、需要家５が不払いであった電力料金を支払った場合や、新たに賃借人が入居した場合等である。特段給電停止の解除理由が存在しない場合（ステップＳ６でＮｏ）は、このような確認動作が定期的に繰り返される。
【００５９】
一方、給電停止の解除理由が発生したら（ステップＳ６でＹｅｓ）、作業者が当該需要家５へ向かい、特定工具７を用いて固定具６（特殊ネジ）を緩め、スイッチカバー２５をスイッチ本体部２１から取り外す（ステップＳ７）。そしてスイッチ本体部２１の開閉操作部を操作して、スイッチＯＮの状態とし（ステップＳ８）、給電停止解除状態に移行させる。これにより需要家５は、送電系統４からの給電を受けることができるようになる。
【００６０】
上記の開閉操作は、図３に示す開閉装置２の場合はターンスイッチ２７のＯＮターンでであり、図８、図９に示す開閉装置２ａの場合は、導体片２６付きのスイッチカバー２５の取り付け（図９（ｃ）〜（ｅ）参照）である。かかる開閉操作は、もはや活線作業ではないことから、専門のスキルを持つ特殊作業者に依らずとも、一般作業者や電力量計１０の検針者等でも行い得る。
【００６１】
上記開閉操作を終えたなら、特定工具７により前記固定具６（特殊ネジ）を用いて、スイッチカバー２５とスイッチ本体部２１とが固定される（ステップＳ９）。そして、再び給電停止理由が発生したかが確認されるステップに移行する（ステップＳ１０）。特段給電停止理由が再発しない場合（ステップＳ１０でＮｏ）は、このような確認動作が定期的に繰り返される。
【００６２】
一方、再び電力料金不払い等が所定月数だけ続く等して給電停止理由が発生したら（ステップＳ１０でＹｅｓ）、今度は既に開閉装置２が取り付けられていることから、一般作業者や検針者等が当該需要家５へ向かい、固定具６（特殊ネジ）を緩めてスイッチカバー２５を取り外し、スイッチ本体部２１の開閉操作部を操作して、スイッチＯＦＦの状態とすることで再び給電停止状態とする（ステップＳ１１）。そして特定工具７を用いて固定具６（特殊ネジ）によりスイッチカバー２５とスイッチ本体部２１とを固定し、給電停止状態を固定化させる。以下、ステップ６に戻り、同様な作業が繰り返されるものである。
【００６３】
このような給電停止・停止解除方法によれば、開閉装置２の取り付け時の作業性、安全性に優れると共に、一旦開閉装置２を取り付けておけば、当該需要家５に対して再度給電停止・停止解除を行う場合であっても、活線作業を伴わない開閉操作とすることができることから一般作業者や検針者等でもこれを実行することができる。従って、これらの者に特定工具７を保有させておくだけで、きわめて効率的に給電停止・停止解除の実務作業を消化できるようになる。
【図面の簡単な説明】
【００６４】
【図１】本発明にかかる給電停止・停止解除システムＳの全体構成の一例を示す模式図である。
【図２】図１に示す給電停止・停止解除システムＳの電気的回路構成を示す回路ブロック図である。
【図３】本発明で用いられる開閉装置の一例を示す斜視図である。
【図４】本発明で用いられる固定具の一例を示す図であって、（ａ）はその斜視図、（ｂ）は（ａ）図の矢印Ａ方向の矢視平面図、（ｃ）は断面図である。
【図５】本発明で用いられる特定工具の一例を示す図であって、（ａ）はその斜視図、（ｂ）は（ａ）図の矢印Ｂ方向の矢視平面図、（ｃ）は先端部分の拡大斜視図である。
【図６】図３に示した開閉装置において用いられるスイッチカバーを示し、（ａ）はその正面図、（ｂ）は背面図、（ｃ）は（ａ）図のａ−ａ線断面図である。
【図７】本発明で用いられる開閉装置の他の例を示す斜視図である。
【図８】図７の開閉装置の具体的構造を示す図であって、（ａ）はその平面図、（ｂ）は（ａ）図の矢印Ｘ方向の矢視側面図、（ｃ）は（ａ）図の矢印Ｙ方向の矢視側面図、（ｄ）はスイッチカバー単体の側面図である。
【図９】図８に示した開閉装置の実際の運用形態を説明するための斜視図であり、開閉装置のスイッチ本体部をＯＦＦ状態（給電停止状態）から、ＯＮ状態（給電停止解除状態）に移行させる場合の流れを（ａ）〜（ｅ）の順に示している。
【図１０】本発明にかかる給電停止・停止解除方法を説明するためのフローチャートである。
【符号の説明】
【００６５】
１０      電力量計
１０Ａ    一次側端子
１０Ｂ    二次側端子
２        開閉装置
２Ｌ      リード線
２１（２１ａ）  スイッチ本体部
２４      開口（開閉操作部）
２５（２５ａ）  スイッチカバー
２６      導体片
３１      引き込み線
３２      需要家側配線
３２１    需要家側配線端末部
４        送電系統
５        需要家
６        固定具（特殊ネジ）
７        特定工具
Ｓ        給電停止・停止解除システム
【図１】
2006038749.tif 000003
【図２】
2006038749.tif 000004
【図３】
2006038749.tif 000005
【図４】
2006038749.tif 000006
【図５】
2006038749.tif 000007
【図６】
2006038749.tif 000008
【図７】
2006038749.tif 000009
【図８】
2006038749.tif 000010
【図９】
2006038749.tif 000011
【図１０】
2006038749.tif 000012